(57)【要約】【課題】  可、易燃性液体を気化し、燃料として供給する装置を提供する。【解決手段】  容器１、気体発生ユニット２、送入ユニット３、分気ユニット４、送出ユニット５、圧力感知ユニット６、恒温制御ユニット７、洩圧ユニット８、検知ユニット９からなる。該気体発生ユニットは気体を発生し、該送入ユニットにより該容器内部に送り込み、該分気ユニットは該気体を均一に分散し気泡を生じさせ、該気泡は直ちに可、易燃性液体と撹拌・混合されて気化し、気化後の可、易燃性気体は該送出ユニットにより外部の燃焼器に送出されて使用に供される。【選択図】  図  １
0003114251.tif 000002
【実用新案登録請求の範囲】
【請求項１】
容器、気体発生ユニット、送入ユニット、分気ユニット、送出ユニット、圧力感知ユニット、恒温制御ユニットからなり、
該容器は、内部に可、易燃性液体充填空間を具え、該空間内部の適当な位置に少なくとも一層以上の導流板を設置し、該導流板上にはそれぞれろ過部品を配置し、
該気体発生ユニットは、該容器上に設置されて該容器内部に送り込む気体を供給し、
該送入ユニットは、容器上に設置されて気体発生ユニットが供給する気体を該容器内部に送り込み、
該分気ユニットは、該送入ユニットの管体と接続し、該分気ユニット上には複数の気泡を生じる送出孔を具え、
該送出ユニットは、該容器上に少なくとも1個以上設置され、該容器内部の気化後の気体を送出し、
該圧力感知ユニットは、該容器上に設置されて、該容器内部の圧力を感知し、
該恒温制御ユニットは、該容器上に設置されて、該容器内部の温度を感知して適時加温を行い、
上記構成により、該気体発生ユニットから供給された気体は該送入ユニットを経由して該容器内部に送り込まれ、該分気ユニットにより均一に分散されて気泡を生じて送出し、該気泡は可、易燃性液体と撹拌、混合されて気化し、気化後の可、易燃性気体は該送出ユニットにより送出されるようにしてなることを特徴とする可、易燃性液体転換気化供給装置。
【請求項２】
前記容器は、プラスチック或いは金属材料からなる射出成型体であることを特徴とする請求項１記載の可、易燃性液体転換気化供給装置。
【請求項３】
前記ろ過部品は、網体を含むことを特徴とする請求項１記載の可、易燃性液体転換気化供給装置。
【請求項４】
前記容器の適当な位置に可、易燃性液体を充填する入口を設置することを特徴とする請求項１記載の可、易燃性液体転換気化供給装置。
【請求項５】
前記気体発生ユニットは、ポンプ、電源により構成することを特徴とする請求項１記載の可、易燃性液体転換気化供給装置。
【請求項６】
前記気体発生ユニットは、外付け式の接続としてなることを特徴とする請求項１記載の可、易燃性液体転換気化供給装置。
【請求項７】
前記送入ユニットは、逆流止めバルブスイッチ及び該逆流止めバルブスイッチと接続し、前記容器内部に進入する管体により構成されることを特徴とする請求項１記載の可、易燃性液体転換気化供給装置。
【請求項８】
前記分気ユニットは、ボックス体或いは盤状ボックス体を呈し、その上には複数の送出孔を含むことを特徴とする請求項１記載の可、易燃性液体転換気化の供給装置。
【請求項９】
前記恒温制御ユニットは温度感知部品及び加熱部品により構成されることを特徴とする請求項１記載の可、易燃性液体転換気化供給装置。
【請求項１０】
前記容器上には洩圧ユニットを設置してなることを特徴とする請求項１記載の可、易燃性液体転換気化供給装置。
【請求項１１】
前記容器上方には蓋体を設置し、前記容器上の各ユニットが外界の物体により破壊されないよう保護してなることを特徴とする請求項１記載の可、易燃性液体転換気化の供給装置。
【考案の詳細な説明】
【技術分野】
【０００１】
本考案は、可、易燃性液体転換気化供給装置に関する。特に一種の軽油或いは溶剤油を送り込んだ気体により撹拌、混合して気化し、気化後の可燃気体を外部の燃焼装置に送り、燃焼装置が必要とする燃料とする可、易燃性液体転換気化供給装置に係る。
【背景技術】
【０００２】
可、易燃気体の気体供給装置には、中華民国特許公報第232366号「液化石油燃焼器の気体供給設備」実用新案がある。該案が提供する構造は、内部に液化石油を充填したスチールボトルを具え、その頂点にはそれぞれ液化石油を内部に充填し、また可燃性気体を排出する出気管、及び圧縮空気をボトル内に引き入れる送気管を具える。該送気管の底部はスチールボトル底部付近にまで延伸し、圧縮空気を液体状の液化石油に導入後、撹拌することができるよう配置されている。さらに該構造は、空気を圧縮し該スチールボトル内に入れるポンプを具える。該出気管は、可燃性気体を適当な気体燃焼器に導く少なくとも一本の送気チューブを必要とする。
上記の気体供給設備が使用する燃料液体はみな界面活性剤を混合しなければ、一定期間の使用後には、空気ポンプは空気中の水分を取り入れ、容器内の油と混合、気化しなくなってしまい、大量に容器中に残留してしまう。容器内の水分が過多であれば、外部燃焼の火炎燃焼効果も大きな影響を受け、かつ定期的に容器内に蓄積する水分を容器外に排出しなければならず、使用上非常に不便である。
しかも、圧縮空気が該スチールボトル内部に入り、液化石油と撹拌、混合される時、比較的大きな油気分子及び油滴が容易に気化後の可燃気体に従い送出され、燃焼器の正常な燃焼に影響を及ぼす。さらには、低温期には温度制御装置がないため、気体供給量が不足し正常な燃焼ができなくなってしまう。
【特許文献１】中華民国特許公報第２３２３６６号
【特許文献２】特開２００４−１９５０５号公報
【考案の開示】
【考案が解決しようとする課題】
【０００３】
公知構造には以下の欠点があった。
すなわち、使用する燃料液体はみな界面活性剤を混合しなければ、一定期間の使用後には、空気ポンプから空気中の水分を取込み、容器内の油と混合して、気化しなくなってしまい、大量に容器中に残留してしまうため、容器内の水分が過多であれば、外部燃焼の火炎燃焼効果も大きな影響を受け、かつ定期的に容器内に蓄積する水分を容器外に排出しなければならず、使用上非常に不便である。
しかも、圧縮空気が該スチールボトル内部に入り、液化石油と撹拌、混合される時、比較的大きな油気分子及び油滴が容易に気化後の可燃気体に伴って送出され、燃焼器の正常な燃焼に影響を及ぼす。
さらには、低温期には温度制御装置がないため、気化し難くなって気体供給量が不足し正常な燃焼ができなくなってしまう。
本考案は上記構造の問題点を解決した可、易燃性液体転換気化供給装置を提供するものである。
【課題を解決するための手段】
【０００４】
上記課題を解決するため、本考案は下記の可、易燃性液体転換気化供給装置を提供する。
それは容器、気体発生ユニット、送入ユニット、分気ユニット、送出ユニット、圧力感知ユニット、恒温制御ユニットからなり、
該容器は、内部に可、易燃性液体の充填空間を具え、該空間内部の適当な位置に少なくとも一層の導流板を設置し、該導流板上にはそれぞれろ過部品を配置し、
該気体発生ユニットは、該容器上に設置されて該容器内部に送り込む気体を供給し、
該送入ユニットは、該容器上に設置されて、該気体発生ユニットから送られる気体を該容器内部に送り込み、
該分気ユニットは、該送入ユニットの管体と接続し、該分気ユニット上には複数の気泡を生じる送出孔を具え、
該送出ユニットは、該容器上に少なくとも1個以上を設置されて該容器内部の気化後の気体を送出し、
該圧力感知ユニットは、該容器上に設置されて、該容器内部の圧力を感知し、
該恒温制御ユニットは該容器上に設置されて、該容器内部の温度を感知して適時加温を行い、
上記構成により、該気体発生ユニットから供給された気体は、該送入ユニットを経由して該容器内部に送り込まれ、該分気ユニットにより均一に分散されて気泡を生じて送出し、該気泡は直ちに可、易燃性液体と撹拌、混合されて気化させ、気化後の可、易燃性気体は該送出ユニットにより送出されることを特徴とする可、易燃性液体転換気化供給装置である。
【考案の効果】
【０００５】
上記のように、本考案は気体供給装置を最新設計することにより、気体供給装置内部に水分が残留しないようにし、しかも気化の過程において大きめの油気分子及び油滴は気化後の可燃気体に従い送出されることはないため、外部燃焼器の正常な使用を確保することができる。
【考案を実施するための最良の形態】
【０００６】
図１、２に示すように、本考案は容器１、気体発生ユニット２、送入ユニット３、分気ユニット４、送出ユニット５、圧力感知ユニット、恒温制御ユニット７、洩圧ユニット８、検知ユニット９を含む。
該容器１内に可燃性液体を充填し、気体を送込んで該可燃性液体と撹拌し、可燃性気体として後、外部に送出して燃焼装置において使用する。
該容器１内には可燃性液体を充填可能な空間１１を具え、該空間１１内部の適当な位置には少なくとも１層の導流板１２、１３を設置し、該導流板１２、１３上にはそれぞれ気化後の気体を通過させるろ過部品１４、１５を配置する。該ろ過部品１４、１５は、網体で、気化後の気体が含む雑物或いは大き目の油気分子、及び油滴をろ過する。同時に該導流板１２、１３及び該ろ過部品１４、１５は可燃液体の気化過程において、撹拌され噴出する可燃性液体（油質）が一緒に送出されるのを防止することができる。また該容器１の適当な位置には可燃性液体を充填するための入口１６を設置する。
【０００７】
該気体発生ユニット２はポンプ、電源（変圧器或いはバッテリーなど）により構成され、該容器１上に配置され、或いは外付け式で該容器１と接続して気体を発生させる。
該送入ユニット３は、該容器１上に設置され、その上には該気体発生ユニット２の送出端２１と接続する逆流止めバルブスイッチ３１、及び該逆流止めバルブスイッチ３１と接続し、該容器１内部に入る管体３２により構成される。該逆流止めバルブスイッチ３１は送入の気体の逆流を防止し、燃料油の逆流を防止し、気体供給装置の正常な運転を確保することができる。
該分気ユニット４はボックス体或いは盤状ボックス体を呈し、該管体３２と接続する。その上には矩形配列を呈する送出孔４１を具え、該管体３２が送り込む気体が該分気ユニット４に送入されると、該矩形配列を呈する送出孔４１は該気体を均一に分散して送出し、効果的に可燃性液体と撹拌或いは混合する。
【０００８】
該送出ユニット５は該容器１上に少なくとも1個以上設置し、該容器１内部の気化後の気体を送出する。
該圧力感知ユニット６は該容器１に設置する。該圧力感知ユニット６は電子式或いは機械式により構成し、該容器１内部の圧力を感知する。該気体発生ユニット２が気体を発生し該容器１内部に送入し、可燃性液体と撹拌（混合）を行う時、もし該圧力感知ユニット６が該容器１内部の圧力が十分であると感知したなら、信号を発し外部の制御回路に該気体発生ユニット２の作動を停止させる。もし、該圧力感知ユニット６が該容器１内部の圧力が不足していると感知したなら、信号を発し外部の制御回路に該気体発生ユニット２の作動を起動させ、該容器１内部に気体を送り込む。
該恒温制御ユニット７は、該容器１上に設置し、温度感知部品７１及び加熱部品７２により、該容器１内部の温度を感知し、適時加熱し、該容器１内部の温度を気化に適した状態に保つ。こうして、高山、平地、四季の変化に合わせた実用効果を達成することができる。
【０００９】
該洩圧ユニット８は、洩圧バルブにより構成し、該容器１上に設置する。気体供給装置を使用しない時に、もし該容器１の内部圧力が外部環境により上がった場合には、該洩圧バルブは自動的に該容器１内部の過剰な圧力分を放出し、該容器１内を一定の圧力に保持することができる。
該検知ユニット９はウィンドウの形態で該容器１上に設置し、該ウィンドウから該容器１内部の可燃性液体量を観測し、可燃性液体を該容器１内部に適当に補充することができる。
【００１０】
さらに図３に示すように、本考案の使用状態について説明する。
先ず、軽油或いは溶剤油などの可、易燃性液体を該容器１の入口より充填し、該気体発生ユニット２を起動し、気体を発生させ、該送入ユニット３の該逆流止めバルブスイッチ３１及び該管体３２を経由し該気体を該容器１内部に送り込む。この時、該逆流止めバルブスイッチ３１は送り込んだ気体が逆流し、燃料油の逆流を防止することができ、こうして気体供給装置の正常な運転を確保する。
気体を該分気ユニット４に送り入れると、気体は均一に分散され、該分気ユニット４の複数の送出孔４１より小さな泡となって送出される。該小さな泡は直ちに該可、易燃性液体と撹拌、混合気化し、該可、易燃性液体が完全に気化すると、該気化後の可、易燃性気体は該導流板１２のろ過部品１４、及び該導流板１３のろ過部品１５を経由し、さらに該送出ユニット５により送出される。
この時、該送出ユニット５が接続する送出管体１０は燃焼装置１０１まで送出する。該可、易燃性液体の気化の過程において、該導流板１２、１３及び該ろ過部品１４、１５は撹拌され噴出する大き目の油気分子及び油滴が一緒に送出されることを防止することができる。
一方、該圧力感知ユニット６は常に該容器１内部の圧力を感知し、使用過程において、該圧力感知ユニット６が該容器１内部の圧力不足を感知すると、制御信号を発信し、制御回路を通して該気体発生ユニット２を運転させる。該圧力感知ユニット６が該容器１内部の圧力が十分であると感知すると、制御信号を発し、制御回路を通して、該気体発生ユニット２の運転を停止させる。
【００１１】
外部燃焼装置が燃焼する時、気化後の気体は抜き取られる。この時、可、易燃性液体転換気化の供給装置内の燃料油温度は低下するが、該恒温制御ユニット７の温度感知部品７１が感知すると、信号を発し、制御回路を通して該加熱部品７２を起動し適温に加熱する。こうして、燃料油気化後は燃焼に適した温度を保持することができる。
本考案可、易燃性液体転換気化の供給装置を使用或いは使用しない時、内外の環境要因により該容器１内部の圧力が上がった時には、該洩圧ユニット８は適時洩圧調整を行う。
さらに、該容器１はプラスチック或いは金属材料を利用しプレス成型し、該容器１上にはウィンドウ形態の検知ユニット９を設置する。こうして、該容器１内部の可、易燃性液体の量を検知することができる。
また、該容器１上方には蓋体１０２（図５参照）を設置し、該容器１上の各パーツが外界の物体により破壊されないよう保護することができる。
【図面の簡単な説明】
【００１２】
【図１】本考案供給装置の外観立体指示図である。
【図２】図１の側面断面指示図である。
【図３】本考案供給装置の使用状態指示図である。
【図４】本考案供給装置と燃焼装置の接続使用状態指示図である。
【図５】本考案供給装置の別種の実施例指示図である。
【符号の説明】
【００１３】
１  容器
１１  空間
１２  導流板
１３  導流板
１４  ろ過部品
１５  ろ過部品
１６  入口
２  気体発生ユニット
２１  送出端
３  送入ユニット
３１  逆流止めバルブスイッチ
３２  管体
４  分気ユニット
４１  送出孔
５  送出ユニット
６  圧力感知ユニット
７  恒温制御ユニット
７１  温度感知部品
７２  加熱部品
８  洩圧ユニット
９  検知ユニット
１０  送出管体
１０１  燃焼装置
１０２  蓋体
【図１】
0003114251.tif 000003
【図２】
0003114251.tif 000004
【図３】
0003114251.tif 000005
【図４】
0003114251.tif 000006
【図５】
0003114251.tif 000007